(57)【特許請求の範囲】
【請求項１】
マニュアルパブリックランドモバイルネットワーク(PLMN)サーチを実行するための方法であって、
通信デバイスの第1の加入者識別モジュール(SIM)と関連付けられた非アクティブな加入においてマニュアルPLMNサーチを実行するためのコマンドを受信するステップと、
前記通信デバイスの第2のSIMと関連付けられたアクティブな加入においてデータ接続が有効化されているかどうかを判定するステップと、
前記アクティブな加入において前記データ接続が有効化されている場合、前記アクティブな加入における前記データ接続を切断するステップと、
ユーザインターフェースが、前記マニュアルPLMNサーチがそれを通じて開始されたユーザインターフェースから切り替えられているかどうかを判定するステップと、
前記ユーザインターフェースが切り替えられている場合、前記データ接続を前記アクティブな加入において再確立するステップと、
前記アクティブな加入におけるデータの送信および受信と並行して前記マニュアルPLMNサーチを前記非アクティブな加入において実行するステップと
を含む方法。
【請求項２】
前記アクティブな加入において前記データ接続が有効化されていない場合、前記第1のSIMと関連付けられた利用可能な事業者を特定するために、前記アクティブな加入からチューンアウェイすることによって前記マニュアルPLMNサーチを前記非アクティブな加入において実行するステップを含む、請求項1に記載の方法。
【請求項３】
前記マニュアルPLMNサーチが完了すると、利用可能なPLMN事業者のリストを返すステップと、前記リストを前記通信デバイス上に表示するステップとをさらに含む、請求項2に記載の方法。
【請求項４】
前記ユーザインターフェースが切り替えられていない場合、前記第1のSIMと関連付けられた利用可能な事業者を特定するために、前記アクティブな加入からチューンアウェイすることによって前記マニュアルPLMNサーチを前記非アクティブな加入において実行するステップを含む、請求項1に記載の方法。
【請求項５】
前記マニュアルPLMNサーチの結果が利用可能であることを示すポップアップメッセージを前記通信デバイス上に表示するステップと、
前記マニュアルPLMNサーチの結果を前記通信デバイス上に表示するオプションを提供するステップと
をさらに含む、請求項1に記載の方法。
【請求項６】
前記ユーザインターフェースが切り替えられていない場合、前記アクティブな加入における前記データ接続の前記切断された状態を維持するステップと、
前記マニュアルPLMNサーチを前記非アクティブな加入において実行するステップと
を含む、請求項1に記載の方法。
【請求項７】
前記マニュアルPLMNサーチが完了すると、利用可能なPLMN事業者のリストを返すステップと、前記リストを前記通信デバイス上に表示するステップとをさらに含む、請求項6に記載の方法。
【請求項８】
前記データ接続を前記アクティブな加入において再確立するステップをさらに含む、請求項7に記載の方法。
【請求項９】
通信装置の動作を制御するように構成された制御ユニットと、
無線周波数(RF)通信信号を送信および受信するように構成された通信ユニットと、
第1の通信ネットワークの識別情報を含む第1の加入者識別モジュール(SIM)と第2の通信ネットワークの識別情報を含む第2のSIMとのうちの一方と関連付けられた非アクティブな加入においてマニュアルパブリックランドモバイルネットワーク(PLMN)サーチを実行するためのコマンドを受信するように構成された入力デバイスを備えるインターフェースデバイスと、
前記第1のSIMと前記第2のSIMとのうちの他方と関連付けられたアクティブな加入においてデータ接続が有効化されているかどうかを判定するように構成された判定ユニットと
を備え、
前記判定ユニットが、前記アクティブな加入においてデータ接続が有効化されていると判定した場合、前記制御ユニットが、前記アクティブな加入における前記データ接続を切断するように、前記通信ユニットを制御し、
前記制御ユニットが、ユーザインターフェースが、前記マニュアルPLMNサーチが開始された元であるユーザインターフェースから切り替えられていると判定した場合、前記制御ユニットが、前記データ接続を前記アクティブな加入において再確立し、前記アクティブな加入におけるデータの送信および受信と並行して前記マニュアルPLMNサーチを前記非アクティブな加入において実行するように、前記通信ユニットを制御する、通信装置。
【請求項１０】
前記判定ユニットが、前記アクティブな加入においてデータ接続が有効化されていないと判定した場合、前記制御ユニットが、前記非アクティブな加入と関連付けられた利用可能な事業者を特定するために、前記通信ユニットを前記アクティブな加入からチューンアウェイすることによって前記マニュアルPLMNサーチを前記非アクティブな加入において実行するように、前記通信ユニットを制御する、請求項9に記載の装置。
【請求項１１】
前記インターフェースデバイスがディスプレイデバイスをさらに備え、
前記マニュアルPLMNサーチが完了すると、前記制御ユニットが、前記非アクティブな加入と関連付けられた利用可能なPLMN事業者のリストを返し、前記リストをディスプレイデバイス上に表示させる、請求項10に記載の装置。
【請求項１２】
前記制御ユニットが、前記ユーザインターフェースが、前記マニュアルPLMNサーチが開始された元であるユーザインターフェースから切り替えられていないと判定した場合、前記非アクティブな加入と関連付けられた利用可能な事業者を特定するために、前記通信ユニットを前記アクティブな加入からチューンアウェイすることによって前記マニュアルPLMNサーチを前記非アクティブな加入において実行するように、前記通信ユニットを制御することを含む、請求項9に記載の装置。
【請求項１３】
前記制御ユニットが、前記マニュアルPLMNサーチの結果が利用可能であることを示すポップアップメッセージを前記通信装置上に表示させる、請求項9に記載の装置。
【請求項１４】
前記制御ユニットが、前記ユーザインターフェースが、前記マニュアルPLMNサーチがそれを通じて開始されたユーザインターフェースから切り替えられていないと判定した場合、前記制御ユニットが、前記通信ユニットを、前記アクティブな加入における前記データ接続の前記切断された状態を維持し、前記マニュアルPLMNサーチを前記非アクティブな加入において実行するように制御する、請求項9に記載の装置。
【請求項１５】
前記マニュアルPLMNサーチが完了すると、前記制御ユニットが、前記非アクティブな加入と関連付けられた利用可能なPLMN事業者のリストを返し、前記リストを前記通信装置上に表示させる、請求項14に記載の装置。
【請求項１６】
前記マニュアルPLMNサーチが完了すると、前記制御ユニットが、前記通信ユニットを、前記データ接続を前記アクティブな加入において再確立するように制御する、請求項15に記載の装置。
【請求項１７】
第1の通信ネットワークと、
第2の通信ネットワークと、
通信デバイスと
を備え、前記通信デバイスが、
前記第1の通信ネットワークの識別情報を含む第1の加入者識別モジュール(SIM)と前記第2の通信ネットワークの識別情報を含む第2のSIMとのうちの一方と関連付けられた非アクティブな加入においてマニュアルパブリックランドモバイルネットワーク(PLMN)サーチを実行するためのコマンドを受信するように構成された、ディスプレイデバイスおよび入力デバイスを備えるインターフェースデバイスと、
通信デバイスの動作を制御するように構成された制御ユニットと
を備え、
前記第1の通信ネットワークと前記第2の通信ネットワークとのうちの一方と関連付けられた非アクティブな加入においてマニュアルPLMNサーチを実行するためのコマンドが、前記インターフェースデバイスを介して受信されると、前記制御ユニットが、前記第1の通信ネットワークと前記第2の通信ネットワークとのうちの他方と関連付けられたアクティブな加入においてデータ接続が有効化されているかどうかを判定し、
前記制御ユニットが、前記アクティブな加入においてデータ接続が有効化されていると判定した場合、前記制御ユニットが、前記アクティブな加入における前記データ接続を切断するように、前記通信デバイスを制御し、
前記制御ユニットが、ユーザインターフェースが、前記マニュアルPLMNサーチがそれを通じて開始されたユーザインターフェースから切り替えられていると判定した場合、前記制御ユニットが、前記データ接続を前記アクティブな加入において再確立し、前記アクティブな加入におけるデータの送信および受信と並行して前記マニュアルPLMNサーチを前記非アクティブな加入において実行するように、前記通信デバイスを制御する、通信システム。
【請求項１８】
前記アクティブな加入において前記データ接続が有効化されていない場合、前記制御ユニットが、前記第1の通信ネットワークと前記第2の通信ネットワークとのうちの一方と関連付けられた利用可能な事業者を特定するために、前記アクティブな加入からチューンアウェイすることによって前記マニュアルPLMNサーチを前記非アクティブな加入において実行するように、前記通信デバイスを制御する、請求項17に記載の通信システム。
【請求項１９】
前記マニュアルPLMNサーチが完了すると、前記制御ユニットが、前記第1の通信ネットワークと前記第2の通信ネットワークとのうちの一方と関連付けられた前記非アクティブな加入における利用可能なPLMN事業者のリストを返し、前記リストを前記ディスプレイデバイス上に表示させる、請求項18に記載の通信システム。
【請求項２０】
前記制御ユニットが、前記ユーザインターフェースが、前記マニュアルPLMNサーチが開始された元であるユーザインターフェースから切り替えられていないと判定した場合、前記第1の通信ネットワークと前記第2の通信ネットワークとのうちの一方と関連付けられた利用可能な事業者を特定するために、前記アクティブな加入からチューンアウェイすることによって前記マニュアルPLMNサーチを前記非アクティブな加入において実行するように、前記通信デバイスを制御することを含む、請求項17に記載の通信システム。
【請求項２１】
前記制御ユニットが、前記ユーザインターフェースが、前記マニュアルPLMNサーチがそれを通じて開始された前記ユーザインターフェースから切り替えられていないと判定した場合、前記制御ユニットが、前記通信デバイスを、前記アクティブな加入における前記データ接続の前記切断された状態を維持し、前記マニュアルPLMNサーチを前記非アクティブな加入において実行するように制御し、前記マニュアルPLMNサーチが完了すると、前記制御ユニットが、前記通信デバイスを、前記データ接続を前記アクティブな加入において再確立するように制御する、請求項17に記載の通信システム。
【発明の詳細な説明】
【技術分野】
【０００１】
本開示の態様は、一般に、ワイヤレス通信に関し、より詳細には、複数の加入者識別モジュール(SIM)を備えるモバイルデバイス向けの、マニュアルパブリックランドモバイルネットワーク(PLMN)サーチ(Manual Public Land Mobile Network Search)の優先順位付けに関する。
【背景技術】
【０００２】
ワイヤレス通信ネットワークは、利用可能なネットワークリソースを共有することによって、複数のユーザ向けの通信をサポートする。一部のワイヤレスデバイスは、2つの別々の加入(subscription)を介した、2つの別々のネットワークにおける通信を促進するように構成されている。たとえば、デュアル加入識別モジュール(SIM)、デュアルスタンバイ(DSDS)デバイスは、2つのSIMカード、すなわち、第1の加入向けの1つのカードおよび第2の加入向けの第2のカードを含むことができ、2つの異なるネットワークからのサービスを受信することができる。
【０００３】
各SIMカードは、異なるサービスプロバイダへの加入に対応し得る。さらに、各加入は、1つまたは複数の技術タイプと関連付けることができる。たとえば、第1の加入は、モバイル通信用グローバルシステム(GSM(登録商標))などの2G通信技術をサポートでき、第2の加入は、広帯域符号分割多元接続(WCDMA(登録商標))などの1つまたは複数の3G通信技術をサポートすることができる。様々な理由、たとえば不十分なコールやデータ受信の下、一方の加入から他方の加入への切り替えは利点となり得る。
【０００４】
現在、マルチSIMデバイスは、データ接続が別の加入においてアクティブである間は、ある加入に対するマニュアルPLMN(MPLMN)サーチをサポートしない。
【発明の概要】
【課題を解決するための手段】
【０００５】
マルチSIMモバイルデバイス向けのマニュアルPLMNサーチの優先順位付けのための装置、システム、および方法が提供される。
【０００６】
本発明の態様によれば、マニュアルパブリックランドモバイルネットワーク(PLMN)サーチを実行するための方法が提供される。方法は、通信デバイスの第1の加入者識別モジュール(SIM)と関連付けられた非アクティブな加入においてマニュアルPLMNサーチを実行するためのコマンドを受信するステップと、通信デバイスの第2のSIMと関連付けられたアクティブな加入においてデータ接続が有効化されているかどうかを判定するステップと、データ接続がアクティブな加入において有効化されていない場合、第1のSIMと関連付けられた利用可能な事業者を特定するために、アクティブな加入からチューンアウェイする(tune away)ことによってマニュアルPLMNサーチを非アクティブな加入において実行するステップとを含むことができる。
【０００７】
本発明の別の態様によれば、通信装置が提供される。通信装置は、装置の動作を制御するように構成された制御ユニットと、無線周波数(RF)通信信号を送信および受信するように構成された通信ユニットと、第1の通信ネットワークの識別情報を含む第1の加入者識別モジュール(SIM)と、第2の通信ネットワークの識別情報を含む第2のSIMと、第1のSIMと第2のSIMとのうちの一方と関連付けられた非アクティブな加入においてマニュアルパブリックランドモバイルネットワーク(PLMN)サーチを実行するためのコマンドを受信するように構成された入力デバイスを備えるインターフェースデバイスと、第1のSIMと第2のSIMとのうちの他方と関連付けられたアクティブな加入においてデータ接続が有効化されているかどうかを判定するように構成された判定ユニットとを含むことができる。
【０００８】
本発明の別の態様によれば、通信システムが提供される。通信システムは、第1の通信ネットワークと、第2の通信ネットワークと、通信デバイスとを備えることができ、通信デバイスが、第1の通信ネットワークの識別情報を含む第1の加入者識別モジュール(SIM)と、第2の通信ネットワークの識別情報を含む第2のSIMと、第1のSIMと第2のSIMとのうちの一方と関連付けられた非アクティブな加入においてマニュアルパブリックランドモバイルネットワーク(PLMN)サーチを実行するためのコマンドを受信するように構成されたディスプレイデバイスおよび入力デバイスを備えるインターフェースデバイスと、通信デバイスの動作を制御するように構成された制御ユニットとを備える。
【０００９】
本発明概念の他の特徴および利点は、本発明概念の態様の例を示す以下の説明から明らかとなるはずである。
【００１０】
本発明概念の態様および特徴は、添付図面を参照しながら、例示的実施形態について説明することによってより明らかになるであろう。
【図面の簡単な説明】
【００１１】
【図１】本発明概念の例示的実施形態によるモバイルデバイスを示す概略図である。
【図２】本発明概念の例示的実施形態による、MPLMNサーチ中のDSDSモバイルデバイスの動作を示す流れ図である。
【発明を実施するための形態】
【００１２】
一定の実施形態について説明するが、これらの実施形態は、単に例として示され、保護範囲を限定することは意図されない。本明細書で説明する装置、方法、およびシステムは、他の様々な形態で具体化することができる。さらに、本明細書で説明する例示的な方法およびシステムの形態において、保護範囲から逸脱することなく、様々な省略、置換、および変更を加えることができる。
【００１３】
図1は、本発明概念の例示的実施形態によるDSDSモバイルデバイスを示す概略図である。図1に示されているように、モバイルデバイス100は、制御ユニット110、通信ユニット120、アンテナ130、第1のSIM140、第2のSIM150、スイッチユニット160、インターフェースデバイス170、およびストレージ180を含むことができる。モバイルデバイス100は、たとえば、それに限定されるものではないが、1つまたは複数のワイヤレスネットワークとのモバイル通信を可能にするモバイルフォン、スマートフォン、タブレット、コンピュータなどであってもよい。
【００１４】
図1を参照すると、通信ユニット120は、アンテナ130を通じて無線周波数(RF)信号を、ワイヤレス通信ネットワークに送信し、またワイヤレス通信ネットワークから受信する。第1のSIM140および第2のSIM150は、ネットワークサービス加入のための加入者識別情報を含み、また制御ユニット110にスイッチユニット160を通じて電気的に接続される。スイッチユニット160は、第1のSIM140、第2のSIM150、または第1のSIMと第2のSIMの両方を制御ユニット110に電気的に接続するように構成されている。
【００１５】
第1のSIM140および第2のSIM150は各々、モバイルデバイス100を通信ネットワークに加入させるのに必要なデータを含む。たとえば、第1のSIM140は、モバイルデバイス100を通信ネットワークAに加入させることができ、また第2のSIM150は、モバイルデバイス100を通信ネットワークBに加入させることができる。一部の例示的実施形態では、モバイルデバイスは、3つ以上のSIMを有する場合があり、また3つ以上の異なるネットワークからのサービスにアクセスできる場合がある。
【００１６】
通信ネットワークAおよびBは、同じサービスプロバイダまたは異なるサービスプロバイダによって運用されてもよく、また/あるいは同じ技術または異なる技術、たとえば、それに限定されるものではないが、WCDMA(登録商標)やGSM(登録商標)をサポートしてもよい。技術とサービスプロバイダの何らかの利用可能な組合せは、本発明概念の範囲に入るであろうことを当業者なら理解するであろう。
【００１７】
制御ユニット110は、通信ユニット120、スイッチユニット160、インターフェースデバイス170、およびストレージ180の制御を含む、モバイルデバイス100の全体的な動作を制御する。制御ユニット110は、プログラマブルデバイス、たとえば、それに限定されるものではないが、マイクロプロセッサやマイクロコントローラであってもよい。制御ユニット110は、アクティブな加入においてデータ接続が有効化されているかどうかを判定する判定ユニット112を含むことができる。あるいは、判定ユニット112は、制御ユニット110から切り離された電子回路として実装できる。制御ユニット110は、どの加入がアクティブであるかに基づいて第1のSIM140または第2のSIM150を選択するようにスイッチユニット160を制御することができる。ストレージ180は、制御ユニット110によって実行される、モバイルデバイス100を動作させるのに必要なアプリケーションプログラム、ならびにアプリケーションデータおよびユーザデータを記憶することができる。
【００１８】
インターフェースデバイス170は、入力デバイス172およびディスプレイデバイス174を含むことができる。入力デバイス172は、たとえば、それに限定されるものではないが、キーパッドおよび/またはタッチスクリーンであってもよい。ディスプレイデバイス174は、たとえば、それに限定されるものではないが、液晶ディスプレイ(LCD)であってもよい。他の入力デバイスおよびディスプレイデバイスが、本発明概念の範囲から逸脱することなく、使用され得ることを当業者なら理解するであろう。
【００１９】
図2は、本発明概念の例示的実施形態による、マニュアルPLMNサーチ中のDSDSモバイルデバイスの動作を示す流れ図である。図2に示されている例では、加入1はアクティブな加入であり、加入2は非アクティブな加入である。それに応じて、この例では、マニュアルPLMNサーチは、加入2において実行される。マニュアルPLMNサーチはまた、加入2がアクティブな加入であるとき、加入1においても実行され得ることを当業者なら理解するであろう。
【００２０】
図2を参照すると、モバイルデバイス100は、マニュアルPLMNサーチを非アクティブな加入において開始するためのコマンドを受信する(215-Y)。データ接続が、アクティブな加入、すなわち、加入1において有効化されているかどうかの判定が実施される(220)。判定は、判定ユニット112により、アクティブな加入におけるデータトラフィックを監視することによって、または当業者に知られている何らかの他の適切な方法によって実施することができる。データ接続が加入1において有効化されていない場合(220-N)、制御ユニット110は、通信ユニット120を制御して、マニュアルPLMNサーチを加入2において実行する(225)。
【００２１】
マニュアルPLMNサーチ中、チューンアウェイが加入2において実行され、またチャネルデータ、たとえば、それに限定されるものではないが、信号強度やサービスの質(QoS)データ、ならびに加入2と関連付けられた利用可能な事業者の事業者情報が、モバイルデバイス100によって受信される(230)。一例示的実施形態では、加入2によってサポートされる帯域上の受信信号強度(RSSI:Received Signal Strength)を計算可能であり、またトップのいくつかの絶対無線周波数チャネル番号(ARFCN:Absolute Radio Frequency Channel Number)の取得を試みることができる。取得が成功した場合、モバイル国コード(MCC)、モバイルネットワークコード(MNC)、事業者名のほか、PLMNが禁じられているかどうかを含む事業者情報を得ることができる。
【００２２】
マニュアルPLMNサーチがうまく完了すると、加入2と関連付けられた利用可能な事業者のリストが返されて、インターフェースデバイス170のディスプレイデバイス174上に表示される(240)。利用可能な事業者のリストは、たとえば、それに限定されるものではないが、QoS、信号強度などのランク順に表示することができる。
【００２３】
判定ユニット112が、データ接続が加入1において有効化されていると判定した場合(220-Y)、制御ユニット110はマニュアルPLMNサーチを加入2において開始し(245)、加入1におけるデータコールは切断される(250)。ユーザが、マニュアルPLMNサーチが開始された元である同じユーザインターフェース(UI)にとどまるか、マニュアルPLMNサーチの結果を待っている間に他のウェブアクティビティに切り替えるかの判定が、制御ユニット110によって実施される(255)。
【００２４】
ユーザが、マニュアルPLMNサーチが開始された元である同じUIにとどまる場合(255-Y)、制御ユニット110は、通信ユニット120を制御して、マニュアルPLMNサーチを加入2において実行する(260)。マニュアルPLMNサーチ中、チューンアウェイが加入2において実行され、またチャネルデータ、たとえば、それに限定されるものではないが、信号強度やQoSデータ、ならびに加入2と関連付けられた利用可能な事業者の事業者情報が、モバイルデバイスによって受信される(265)。一例示的実施形態では、加入2によってサポートされる帯域上の受信信号強度(RSSI)を計算可能であり、またトップのいくつかのARFCNの取得を試みることができる。取得が成功した場合、MCC、MNC、事業者名のほか、PLMNが禁じられているかどうかを含む事業者情報を得ることができる。
【００２５】
マニュアルPLMNサーチがうまく完了すると、利用可能な事業者のリストが返されて、インターフェースデバイス170のディスプレイデバイス174上に表示され(270)、また加入1におけるデータコールが再確立される(275)。利用可能な事業者のリストは、たとえば、それに限定されるものではないが、QoS、信号強度などのランク順に表示することができる。
【００２６】
マニュアルPLMNサーチの結果を待っている間にユーザが他のウェブアクティビティ、たとえば、それに限定されるものではないが、ウェブブラウジングやゲームに切り替えた場合(255-N)、制御ユニット110は、データコールを加入1において再確立し(280)、そして通信ユニット120を制御して、加入1のデータコールにおいてマニュアルPLMNサーチとデータ送信および受信を並行して実行する(285)。加入1データコールとマニュアルPLMNサーチの並行実行は、並行実行中、モバイルデバイス100のパフォーマンスの低下をいくぶんもたらす可能性がある。
【００２７】
マニュアルPLMNサーチ中、チューンアウェイが加入2において実行され、またチャネルデータ、たとえば、それに限定されるものではないが、信号強度やQoSデータ、ならびに加入2と関連付けられた利用可能な事業者の事業者情報が、モバイルデバイスによって受信される(290)。一例示的実施形態では、加入2によってサポートされる帯域上の受信信号強度(RSSI)を計算可能であり、またトップのいくつかのARFCNの取得を試みることができる。取得が成功した場合、MCC、MNC、事業者名のほか、PLMNが禁じられているかどうかを含む事業者情報を得ることができる。
【００２８】
マニュアルPLMNサーチがうまく完了すると、加入2と関連付けられた利用可能な事業者のリストが返され、ポップアップグラフィックが、インターフェースデバイス170のディスプレイデバイス174上に表示され、UIディスプレイを切り替えてマニュアルPLMNサーチの結果を表示するオプションを提供する(295)。ユーザがリストの表示を選択した場合、利用可能な事業者のリストは、たとえば、それに限定されるものではないが、QoS、信号強度などのランク順に表示することができる。事業者はまた、ホームPLMN(HPLMN)、好ましいPLMN、次いで禁止されたPLMNの順にリストすることもできる。
【００２９】
一定の実施形態について説明したが、これらの実施形態は、単に例として示され、保護範囲を限定することは意図されない。本明細書で説明する装置、方法、およびシステムは、他の様々な形態で具体化することができる。本開示で説明する例示的な装置、方法、およびシステムの形態において、保護の趣旨から逸脱することなく、様々な省略、置換、および/または変更を加えることができる。
【００３０】
添付の特許請求の範囲およびそれらの同等物は、保護の範囲および趣旨に入るはずである形態または修正形態をカバーするものである。たとえば、本明細書で開示される例示的な装置、方法、およびシステムは、複数の通信ネットワークおよび/または通信技術に加入するマルチSIMモバイルデバイスに適用することができる。図において示される様々な構成要素は、たとえば、それに限定されるものではないが、ソフトウェアおよび/またはファームウェアとしてプロセッサ、ASIC/FPGA/DSP、または専用のハードウェア上に実装することができる。また、先に開示された特定の例示的実施形態の特徴および属性は、追加の実施形態を形成するために、そのうちのすべてが本開示の範囲に入る様々な方法で組み合わせることができる。
【００３１】
本開示は一定の例示的な実施形態および応用例を提供するが、本明細書に記載の特徴および利点のうちのすべてを提供するわけではない実施形態を含む、当業者には明らかであろう他の実施形態もまた、本開示の範囲内である。したがって、本開示の範囲は、添付の特許請求の範囲を参照することによってのみ定義されるものである。
【符号の説明】
【００３２】
100  モバイルデバイス
110  制御ユニット
112  判定ユニット
120  通信ユニット
130  アンテナ
140  第1のSIM
150  第2のSIM
160  スイッチユニット
170  インターフェースデバイス
172  入力デバイス
174  ディスプレイデバイス
180  ストレージ
【図１】
0006518731.tif 000002
【図２】
0006518731.tif 000003